(57)【特許請求の範囲】
【請求項１】
地中に設けられた筒状の地中連続壁の内側に配置された地下タンクであって、
鉄筋コンクリートで形成された底版と、
該底版の縁部から上方に延び、鉄筋コンクリートで形成された側壁と、
該側壁の上部を覆う本体屋根と、
前記底版と前記地中連続壁との境界部に設けられた止水構造と、を備え、
該止水構造は、前記底版の下面よりも上方且つ前記境界部における凍結線を上下方向にまたがる位置に配置され、
前記止水構造の上部は、
前記地中連続壁の内側に沿って配置された板状の上部プレート部と、
該上部プレート部から前記底版側に突出するように設けられたボルトと、を有し、
該ボルトは、前記底版のコンクリートに定着されていることを特徴とする地下タンク。
【請求項２】
地中に設けられた筒状の地中連続壁の内側に配置された地下タンクであって、
鉄筋コンクリートで形成された底版と、
該底版の縁部から上方に延び、鉄筋コンクリートで形成された側壁と、
該側壁の上部を覆う本体屋根と、
前記底版と前記地中連続壁との境界部に設けられた止水構造と、を備え、
該止水構造は、前記底版の下面よりも上方且つ前記境界部における凍結線を上下方向にまたがる位置に配置され、
前記止水構造の下部は、
前記地中連続壁の内側に沿って配置された下部止水部と、
該下部止水部の内側に沿って配置された板状の下部プレート部と、
該下部プレート部を前記地中連続壁側に押圧する押圧部と、を有し、
該押圧部は、前記下部プレート部の内側に沿って配置された押さえ部を有し、
該押さえ部の内側には、はく離剤が設けられていることを特徴とする地下タンク。
【請求項３】
前記止水構造の上部は、
前記地中連続壁の内側に沿って配置された板状の上部プレート部と、
該上部プレート部から前記底版側に突出するように設けられたボルトと、を有し、
該ボルトは、前記底版のコンクリートに定着されていることを特徴とする請求項２に記載の地下タンク。
【請求項４】
前記止水構造の上部は、
前記上部プレート部の内側に沿って配置された上部止水部を有することを特徴とする請求項１または３に記載の地下タンク。
【請求項５】
鉄筋コンクリートで形成された底版と、該底版の縁部から上方に延び、鉄筋コンクリートで形成された側壁と、該側壁の上部を覆う本体屋根と、を備え、地中に設けられた筒状の地中連続壁の内側に配置された地下タンクにおいて、前記底版の下面よりも上方且つ前記底版と前記地中連続壁との境界部における凍結線を上下方向にまたがる位置に止水構造を設ける地下タンクの止水方法であって、
前記止水構造の上部に、
前記地中連続壁の内側に沿って板状の上部プレート部を配置し、
該上部プレート部から前記底版側に突出するように設けられたボルトを、前記底版のコンクリートに定着させることを特徴とする地下タンクの止水方法。
【請求項６】
鉄筋コンクリートで形成された底版と、該底版の縁部から上方に延び、鉄筋コンクリートで形成された側壁と、該側壁の上部を覆う本体屋根と、を備え、地中に設けられた筒状の地中連続壁の内側に配置された地下タンクにおいて、前記底版の下面よりも上方且つ前記底版と前記地中連続壁との境界部における凍結線を上下方向にまたがる位置に止水構造を設ける地下タンクの止水方法であって、
前記止水構造の下部に、
前記地中連続壁の内側に沿って下部止水部を配置し、
該下部止水部の内側に沿って板状の下部プレート部を配置し、
該下部プレート部を前記地中連続壁側に押圧する押圧部を設け、
該押圧部は、前記下部プレート部の内側に沿って配置された押さえ部を有し、
該押さえ部の内側に、はく離剤を設けることを特徴とする地下タンクの止水方法。
【請求項７】
前記止水構造の上部に、
前記地中連続壁の内側に沿って板状の上部プレート部を配置し、
該上部プレート部から前記底版側に突出するように設けられたボルトを、前記底版のコンクリートに定着させることを特徴とする請求項６に記載の地下タンクの止水方法。
【発明の詳細な説明】
【技術分野】
【０００１】
本発明は、地下タンク及び地下タンクの止水方法に関するものである。
【背景技術】
【０００２】
従来より、液化天然ガス等の低温液体は、地中に設けられた地下タンク内等で貯蔵されている。この地下タンクとして、地中に設けられた地中連続壁で囲まれた空間に配置された底版と、底版の縁部から上方に延びる側壁と、側壁の上端に支持されたドーム状のドーム屋根と、を備えたものが提案されている（下記の特許文献１参照）。
【先行技術文献】
【特許文献】
【０００３】
【特許文献１】特開平９−１７７３６０号公報
【発明の概要】
【発明が解決しようとする課題】
【０００４】
特許文献１に記載の地下タンクでは、揚水圧及び温度応力により底版には曲げモーメントが作用し、底版の上面側には引張力が生じる。ここで、底版の側部に地下水から作用する側部水圧を考慮せずに設計が行われていたため、底版の上面側に生じる引張力に抗するために、底版を構成する鉄筋量を多くする設計とされていた。
【０００５】
また、底版の厚さ方向内に形成された凍結線（０℃となる境界線）の位置が上下方向に変位すると、これにともない側部水圧の大きさが変動してしまう。よって、側部水圧を制御して鉄筋量を設定することが困難であった。
【０００６】
そこで、本発明は、上記事情に鑑みてなされたものであり、底版の鉄筋量を抑制することができる地下タンク及び地下タンクの止水方法を提供する。
【課題を解決するための手段】
【０００７】
上記目的を達成するために、本発明は以下の手段を採用している。
すなわち、本発明に係る地下タンクは、地中に設けられた筒状の地中連続壁の内側に配置された地下タンクであって、鉄筋コンクリートで形成された底版と、該底版の縁部から上方に延び、鉄筋コンクリートで形成された側壁と、該側壁の上部を覆う本体屋根と、前記底版と前記地中連続壁との境界部に設けられた止水構造と、を備え、該止水構造は、前記底版の下面よりも上方且つ前記境界部における凍結線を上下方向にまたがる位置に配置され、前記止水構造の上部は、前記地中連続壁の内側に沿って配置された板状の上部プレート部と、該上部プレート部から前記底版側に突出するように設けられたボルトと、を有し、該ボルトは、前記底版のコンクリートに定着されていることを特徴とする。
【０００８】
このように構成された地下タンクでは、地下タンクの底版と地中連続壁との境界部における凍結線を上下方向にまたがる位置に、止水構造が設けられている。よって、地中連続壁側から底版側へ水の浸入を抑制することができる。
また、地下タンクでは、止水構造を底版の下面よりも上方に配置することにより、底版の下面から止水構造の下端までの上下方向の高さに対応する底版の側部には水圧（以下、「側部水圧」と称する。）を作用させることができ、この側部水圧により底版に軸圧縮力を生じさせることができる。ここで、底版を構成する鉄筋の鉄筋量は、側部水圧に基づいて設定される。よって、本発明の地下タンクでは、止水構造の下方に作用する側部水圧ひいてはこの側部水圧により生じる軸圧縮力を考慮することで、底版を構成する鉄筋の鉄筋量を抑制することができる。
【０００９】
また、本発明に係る地下タンクは、地中に設けられた筒状の地中連続壁の内側に配置された地下タンクであって、鉄筋コンクリートで形成された底版と、該底版の縁部から上方に延び、鉄筋コンクリートで形成された側壁と、該側壁の上部を覆う本体屋根と、前記底版と前記地中連続壁との境界部に設けられた止水構造と、を備え、該止水構造は、前記底版の下面よりも上方且つ前記境界部における凍結線を上下方向にまたがる位置に配置され、前記止水構造の下部は、前記地中連続壁の内側に沿って配置された下部止水部と、該下部止水部の内側に沿って配置された板状の下部プレート部と、該下部プレート部を前記地中連続壁側に押圧する押圧部と、を有し、該押圧部は、前記下部プレート部の内側に沿って配置された押さえ部を有し、該押さえ部の内側には、はく離剤が設けられていることを特徴とする。
また、本発明に係る地下タンクでは、前記止水構造の上部は、前記地中連続壁の内側に沿って配置された板状の上部プレート部と、該上部プレート部から前記底版側に突出するように設けられたボルトと、を有し、該ボルトは、前記底版のコンクリートに定着されていることを特徴とする。
また、本発明に係る地下タンクの止水方法は、鉄筋コンクリートで形成された底版と、該底版の縁部から上方に延び、鉄筋コンクリートで形成された側壁と、該側壁の上部を覆う本体屋根と、を備え、地中に設けられた筒状の地中連続壁の内側に配置された地下タンクにおいて、前記底版の下面よりも上方且つ前記底版と前記地中連続壁との境界部における凍結線を上下方向にまたがる位置に止水構造を設ける地下タンクの止水方法であって、前記止水構造の上部に、前記地中連続壁の内側に沿って板状の上部プレート部を配置し、該上部プレート部から前記底版側に突出するように設けられたボルトを、前記底版のコンクリートに定着させることを特徴とする。
また、本発明に係る地下タンクの止水方法は、鉄筋コンクリートで形成された底版と、該底版の縁部から上方に延び、鉄筋コンクリートで形成された側壁と、該側壁の上部を覆う本体屋根と、を備え、地中に設けられた筒状の地中連続壁の内側に配置された地下タンクにおいて、前記底版の下面よりも上方且つ前記底版と前記地中連続壁との境界部における凍結線を上下方向にまたがる位置に止水構造を設ける地下タンクの止水方法であって、前記止水構造の下部に、前記地中連続壁の内側に沿って下部止水部を配置し、該下部止水部の内側に沿って板状の下部プレート部を配置し、該下部プレート部を前記地中連続壁側に押圧する押圧部を設け、該押圧部は、前記下部プレート部の内側に沿って配置された押さえ部を有し、該押さえ部の内側に、はく離剤を設けることを特徴とする。
また、本発明に係る地下タンクの止水方法は、前記止水構造の上部に、前記地中連続壁の内側に沿って板状の上部プレート部を配置し、該上部プレート部から前記底版側に突出するように設けられたボルトを、前記底版のコンクリートに定着させることを特徴とする。
【００１０】
このように構成された地下タンク及び地下タンクの止水方法では、押圧部が下部プレート部を下部止水部側に押圧することで、地中連続壁と下部止水部等との間に生じる隙間を抑えることができる。よって、例えば、地中連続壁と地下タンクとの境界部に浸入しようとする水があったとしても、下部プレート部の下部止水部側を通る水の下部止水部によりも地下タンク側への浸入が、抑制される。
【００１１】
また、本発明に係る地下タンクにおいて、前記止水構造は、前記プレート部の内側に沿って配置された第二止水部をさらに有していてもよい。
【００１２】
このように構成された地下タンクでは、例えば地中連続壁と地下タンクとの境界部に浸入しようとする水があったとしても、プレート部の第二止水部側を通る水の第二止水部よりも地下タンク側への浸入が、抑制される。
【発明の効果】
【００１３】
本発明に係る地下タンク及び地下タンクの止水方法によれば、地下タンクの鉄筋量を抑制することができる。
【図面の簡単な説明】
【００１４】
【図１】本発明の一実施形態に係る地下タンクを示す図である。
【図２】本発明の一実施形態に係る地下タンクの止水構造を示す立断面図である。
【図３】本発明の一実施形態に係る地下タンクの止水構造の底版を拡大し、底版の側部に作用する側部水圧を示した図である。
【発明を実施するための形態】
【００１５】
本発明の一実施形態に係る地下タンクについて説明する。
図１は、本発明の一実施形態に係る地下タンクを示す図である。
図１に示すように、本実施形態の地下タンク１は、地中Ｇに筒状に配置された地中連続壁２の内部に配置されている。地下タンク１は、平面視略円形状の底版Ａと、底版Ａの側部（縁部）Ａ１から上方に略円筒状に延びる側壁３と、側壁３の上端部３ａに支持されたドーム状の本体屋根６と、を備えている。これら底版Ａ及び側壁３は、鉄筋コンクリートで構成されている。底版Ａには、地盤凍結防止用の底部ヒータ８が埋設されている。
この地下タンク１は、例えば液化天然ガス等の低温液体の貯蔵に使用されるものである。
【００１６】
次に、底版Ａと地中連続壁２との境界部Ｋに設けられた止水構造１０について説明する。
【００１７】
図２は、地下タンク１の止水構造１０を示す立断面図である。
図２に示すように、止水構造１０は、第一止水部１１と、間詰め部１３と、プレート部１５と、第二止水部１７と、押圧部２０と、を備えている。
【００１８】
第一止水部１１は、地中連続壁２の内側に沿って配置されている。本実施形態の第一止水部１１は、地中連続壁２の内面２Ｂに、上下方向１５０ｍｍにわたって、厚み２０ｍｍで設けられたエポキシ樹脂である。
【００１９】
間詰め部１３は、第一止水部１１の上方に配置されている。間詰め部１３の厚さ１３Ｚは、第一止水部１１の厚さ１１Ｚと略同一である。本実施形態の間詰め部１３は、地中連続壁２の内面２Ｂに、上下方向１８０ｍｍ、厚み２０ｍｍで設けられた低密度ポリエチレンを主原料とする押出高発泡ポリエチレン樹脂である。この間詰め部１３により、施工時に、第一止水部１１の上方に滞水することが抑制される。
【００２０】
プレート部１５は、板状に形成され、第一止水部１１から間詰め部１３にわたって上下方向に、これら第一止水部１１の内面１１Ｂ及び間詰め部１３の内面１３Ｂに沿って配置されている。本実施形態のプレート部１５は、厚さ４．５ｍｍ、上下方向の長さ３５０ｍｍの平鋼である。
【００２１】
第二止水部１７は、プレート部１５の内面１５Ｂに沿って配置されている。また、第二止水部１７は、間詰め部１３が配置されている上下方向の範囲内に配置されている。本実施形態の第二止水部１７は、プレート部１５の内面１５Ｂに設けられた非加硫ブチルゴム系のシーリング材である。
【００２２】
押圧部２０は、プレート部１５の内面１５Ｂに沿って配置された押さえ部２１と、押さえ部２１に挿通され地中連続壁２に螺合されたボルト２２と、を有している。
【００２３】
押さえ部２１は、プレート部１５の内面１５Ｂに沿って配置された取付部２１Ｔと、取付部２１Ｔの上端から略直角に屈曲して底版Ａ側に延びる延出部２１Ｕと、を有している。本実施形態の押さえ部２１は、取付部２１Ｔと延出部２１Ｕとが一体に形成された山形鋼である。
【００２４】
ボルト２２は、押さえ部２１の取付部２１Ｔ、プレート部１５及び第一止水部１１に挿通され、地中連続壁２に螺合されている。ボルト２２は、底版Ａの周方向に離間して複数螺合されている。本実施形態のボルト２２は、ケミカルアンカーである。
【００２５】
プレート部１５の上部には、スタッドボルト２５が螺合されている。スタッドボルト２５の軸部２５Ｊ及び頭部２５Ｋは、プレート部１５の内面１５Ｂから底版Ａ側に突出している。本実施形態では、スタッドボルト２５は、プレート部１５に設けられた第二止水部１７よりも上方で螺合されている。
【００２６】
押さえ部２１の取付部２１Ｔの内面２１ＴＢ側及びプレート部１５における押さえ部２１よりも下方の内面１５Ｂ側には、はく離剤Ｈが塗布されている。
【００２７】
このように、スタッドボルト２５が底版Ａを構成するコンクリートに定着するとともに、止水構造１０は底版Ａと一体化されている。
【００２８】
図３は、地下タンク１の底版Ａを拡大し、底版Ａの側部Ａ１に作用する側部水圧Ｐ２を示した図である。なお、本図において、止水構造１０の構成を省略して示している。
図３に示すように、止水構造１０は、底版Ａの下面Ａ２よりも上方に配置されている。また、止水構造１０は、底版Ａと地中連続壁２との境界部Ｋにおいて、境界部Ｋにおける凍結線（０℃となる境界線）Ｓ１を上下方向にまたがる位置に配置されている。
【００２９】
また、図３から分かるように、底版Ａの下面Ａ２から止水構造１０の下端１０Ｚまでの上下方向の高さに対応する底版Ａの側部Ａ１には、側部水圧Ｐ２が作用している。
【００３０】
ここで、底版Ａにおける凍結線Ｓ１よりも上方の領域は凍結領域Ｒ１とされ、底版Ａにおける凍結線Ｓ１よりも下方の領域は不凍結領域Ｒ２とされている。底版Ａの底部ヒータ８は、不凍結領域Ｒ２に配置されている。
【００３１】
このように構成された地下タンク１では、底版Ａと地中連続壁２との境界部Ｋにおける凍結線Ｓ１を上下方向にまたがる位置に、止水構造１０が設けられている。また、押圧部２０がプレート部１５を第一止水部１１側に向かって押圧することで、地中連続壁２と第一止水部１１との間に生じる隙間を抑えることができる。よって、例えば、地中連続壁２と地下タンク１との境界部Ｋに浸入しようとする水があったとしても、プレート部１５の第一止水部１１側を通る水の第一止水部１１によりも地下タンク１側への浸入が、抑制される。
【００３２】
また、地下タンク１では、止水構造１０を底版Ａの下面Ａ２よりも上方に配置することにより、底版Ａの下面Ａ２から止水構造１０の下端１０Ｚまでの上下方向の高さに対応する底版Ａの側部Ａ１には、側部水圧Ｐ２を作用させることができ、この側部水圧Ｐ２により底版Ａに軸圧縮力を生じさせることができる。ここで、底版Ａを構成する鉄筋（不図示）の鉄筋量は、側部水圧Ｐ２に基づいて設定される。よって、本発明の地下タンク１では、止水構造１０の下方に作用する側部水圧Ｐ２ひいてはこの側部水圧Ｐ２により生じる軸圧縮力を考慮することで、底版Ａを構成する鉄筋の鉄筋量を抑制することができる。
【００３３】
また、地中連続壁２と地下タンク１との境界部Ｋに浸入しようとする水があったとしても、プレート部１５の第二止水部１７側を通る水の第二止水部１７よりも地下タンク１側への浸入が、抑制される。
【００３４】
また、底版Ａを構成するコンクリートの硬化収縮や液化天然ガス冷熱による収縮等により、底版Ａと地中連続壁２との間に相対変位が生じる。ここで、押さえ部２１の取付部２１Ｔの内面２１ＴＢ側及びプレート部１５における押さえ部２１よりも下方の内面１５Ｂ側には、はく離剤Ｈが塗布されている。よって、底版Ａと地中連続壁２との間に相対変位が生じる際には、押さえ部２１及びプレート部１５と底版Ａとの間の縁が切れることで、第一止水部１１とプレート部１５とが密着した状態が維持されやすい。これにより、プレート部１５の第一止水部１１側を通る水の第一止水部１１によりも地下タンク１側への浸入が、確実に抑制される。
【００３５】
また、プレート部１５に設けられたスタッドボルト２５は、底版Ａを構成するコンクリートに定着されている。よって、底版Ａと地中連続壁２との間に相対変位が生じる際には、底版Ａはスタッドボルト２５の螺合されたプレート部１５と一体となって相対変位に追従することができる。これにより、プレート部１５と底版Ａとの間に生じる隙間を抑えることができるため、プレート部１５と底版Ａとの間への水の浸入が、確実に抑制される。
【００３６】
なお、上述した実施の形態において示した各構成部材の諸形状や組み合わせ等は一例であって、本発明の主旨から逸脱しない範囲において設計要求等に基づき種々変更可能である。
【００３７】
例えば、上記に示す実施形態においては、第一止水部１１の上方に、間詰め部１３が設けられているが、間詰め部１３を省略してもよい。
【符号の説明】
【００３８】
１…地下タンク
２…地中連続壁
３…側壁
６…本体屋根
１０…止水構造
１１…第一止水部
１５…プレート部
１７…第二止水部
２０…押圧部
Ａ…底版
Ｇ…地中
Ｋ…境界部
Ｓ１…凍結線
【図１】
0006384714.tif 000002
【図２】
0006384714.tif 000003
【図３】
0006384714.tif 000004